(57)【要約】【課題】イラストなどが描画された原稿のなぞり書きが可能な絆創膏を提供する。【解決手段】アクリル系粘着剤層１４を有する原反と、アクリル系粘着剤層１４の中央部に固着されている貼り合わせネット部と、アクリル系粘着剤層１４及び貼り合わせネット部に離脱自在に貼付されるセパレータ１７とを有する絆創膏である。原反及びセパレータ１７は、文字、イラスト又はデザインが描画された原稿を筆記具でなぞり書きできる透明度の材質で構成されており、アクリル系粘着剤層１４の背面となる原反の表面にインク浸透を抑制するニス層１２が形成されている。【選択図】図１
2020025847.tif 000002
【特許請求の範囲】
【請求項１】
粘着面を有する原反と、
前記粘着面の中央部に固着された患部保護パッドと、
前記粘着面及び前記患部保護パッドに離脱自在に貼付されるセパレータとを有し、
前記原反及び前記セパレータは、文字、イラスト又はデザインが描画された原稿を筆記具でなぞり書きできる透明度の材質で構成されており、
前記粘着面の背面となる前記原反の表面にインク浸透抑制層が形成されていることを特徴とする絆創膏。
【請求項２】
前記筆記具はカラー筆記具であることを特徴とする、請求項１に記載の絆創膏。
【請求項３】
前記インク浸透抑制層は、前記筆記具が使用可能な表面粗度の透明コーティング層であることを特徴とする、請求項１又は２に記載の絆創膏。
【請求項４】
前記透明コーティング層は、天然樹脂由来のニス剤を固化して形成された層であることを特徴とする、請求項３に記載の絆創膏。
【請求項５】
前記原反の表面と前記セパレータとが、剥離自在の圧着紙で覆われていることを特徴とする、請求項１ないし４のいずれか一項に記載の絆創膏。
【請求項６】
前記圧着紙のうち少なくとも前記原反の表面を覆う部分が透明フィルムで構成されていることを特徴とする、請求項５に記載の絆創膏。
【発明の詳細な説明】
【技術分野】
【０００１】
本発明は、原反の部分になぞり書きが可能な絆創膏に関する。
【背景技術】
【０００２】
従来、指、肘、膝などの比較的軽度な怪我やすり傷（創傷）の保護材として、救急用絆創膏が用いられている。救急用絆創膏としては、原反と呼ばれる、粘着剤層を有するシートの中央にガーゼや不織布などを粘着したものが用いられている。救急用絆創膏は創傷部位を保護し、かつ、皮膚の修復を促進するので、怪我をした場合等には、創傷部を水などで速やかに清浄化したうえで絆創膏を貼ることが好ましい。
【０００３】
しかし、例えば児童などは絆創膏を貼ること自体に抵抗を感じることもあり、また、絆創膏を貼ることによる外観の変化に抵抗を感じる人もいる。このような抵抗感を軽減するために、絆創膏に色彩を施して、人気のあるキャラクタの画像などを表面に付すことが知られている。
【０００４】
色彩が付けられた絆創膏として、例えば、特許文献１は、基材シートの片面に蛍光顔料を設けた蛍光粘着シートを開示する。また、蛍光顔料を基材シート材料中に分散させて粘着剤を塗布することで粘着剤層を形成した蛍光粘着シートなども知られている。このように蛍光顔料を用いることで意匠性が生じ、絆創膏を貼ることに対する抵抗感が軽減される。
【０００５】
また、特許文献２は、創傷部を一層保護することを目的とした絆創膏を開示する。この絆創膏では、シートあるいは支持体の粘着層における粘着面中央部にパッド部を貼着し、前記粘着層の前記パッド部が貼着されていない部分の上面には離型フィルムを剥離可能に貼着している。
【０００６】
そして、紫外線遮断剤を練り込んだ又はコートしたフィルムをパッドと粘着層間に介在させ、あるいはパッド部にＵＶカット加工が施されている。このようにして、絆創膏に紫外線を遮断する機能が与えられる。その理由は、創傷部の皮膚の修復過程で紫外線にさらされると、正常な皮膚への再生が遅延し、変色し、色素沈着、瘢痕が残るなど、創傷部にとって有害となるおそれがあることによる。また、創傷部に適用される薬剤のなかでも紫外線によって経時的に変質する薬剤も存在し、保存中は勿論のこと、皮膚への適用後も紫外線に暴露しないことも求められることも紫外線を遮断する理由となっている。
【０００７】
特許文献２では、絆創膏を皮膚に貼付けても目立たないように、紫外線遮断材含有層を透明あるいは肌色加工、あるいは目立たない程度に他の色彩に着色（微着色）するものとすることも開示している。このようにすることで、どのような紫外線遮断剤を含有させても、皮膚に貼着しても貼付した部分が目立たず、美観を損ねない救急用絆創膏を提供する。
【先行技術文献】
【特許文献】
【０００８】
【特許文献１】実開平５−３３７１８号公報
【特許文献２】特開２００５−２４６０４６号公報
【発明の概要】
【発明が解決しようとする課題】
【０００９】
しかし、特許文献１に記載された絆創膏は、色彩やキャラクタが表面に付された状態で市販されるものであり、その色彩やキャラクタが必ずしも購買者の好みにあうとは限らない。また、色彩などが既に付与された状態で販売されていることから、自分の好みに応じたキャラクタや文字、図形などを絆創膏に描くことはできない。また、絵を描くことが苦手な人でも、絆創膏が透明であれば、絵などの上に絆創膏をおいてなぞり書きをすることで、気に入った絵を絆創膏に描いて個人的に楽しむことができる。しかし、特許文献２に記載された絆創膏は、皮膚に貼付けても目立たないように、紫外線遮断剤含有層を透明とするものであり、上記のなぞり書きを可能にするという視点がない。
【００１０】
また、特許文献１に記載された絆創膏に限らず、従来の絆創膏は、その表面が柔軟で透水性が高く、文字などを書きづらいものが多い。そもそも、従来の絆創膏は、ボールペンやマジック等でなぞり書きをすることは前提としておらず、それに適した加工もなされていないので、時間が経つにつれて書いた文字や図形が滲んでしまうという難点がある。
本発明は上記背景の下になされたものであり、その目的は、なぞり書きが可能でかつ文字や図形が滲みにくい構造の絆創膏を提供することにある。
【課題を解決するための手段】
【００１１】
上記課題を解決するために、本発明の絆創膏は、粘着面を有する原反と、前記粘着面の中央部に固着された患部保護パッドと、前記粘着面及び前記患部保護パッドに離脱自在に貼付されるセパレータとを有し、前記原反及び前記セパレータは、文字、イラスト又はデザインが描画された原稿を筆記具でなぞり書きできる透明度の材質で構成されており、前記粘着面の背面となる前記原反の表面にインク浸透抑制層が形成されていることを特徴とする。
【発明の効果】
【００１２】
本発明によれば、絆創膏になぞり書きが可能でかつ文字や図形が滲みにくい絆創膏を提供することができる。
【図面の簡単な説明】
【００１３】
【図１】（ａ）は絆創膏の分解斜視図、（ｂ）はその断面図である。
【図２】（ａ）〜（ｄ）は下側圧着紙の内側面の一例である。
【図３】（ａ）〜（ｄ）は二枚綴りの状態での下側圧着紙の一例である。
【図４】（ａ）は絆創膏を封入した状態での平面図、（ｂ）は絆創膏を封入していない状態での平面図である。
【図５】（ａ）はなぞり書き直後の比較例の絆創膏表面、（ｂ）は１年経過後の比較例の絆創膏表面、（ｃ）は２ヵ月経過後の絆創膏表面の顕微鏡写真、（ｄ）は２ヵ月経過後の比較例の絆創膏表面の顕微鏡写真である。
【発明を実施するための形態】
【００１４】
以下、図面を参照して本発明の実施の形態例を説明する。なお、以下の説明では救急用絆創膏を含めた絆創膏類を単に絆創膏と記載する。
図１（ａ）に本実施形態に係る絆創膏の分解斜視図、（ｂ）に断面図をそれぞれ示す。図示されるように、本実施形態に係る絆創膏は、ニス層１２、ポリウレタンテープ１３、粘着面としてのアクリル系粘着剤層１４、レーヨン不織布１５及びポリエチレンネット１６が一体となって形成される。また、ニス層１２、ポリウレタンテープ１３及びアクリル系粘着剤層１４が原反を形成し、レーヨン不織布１５及びポリエチレンネット１６により、患部保護パッドとしての貼り合わせネット部が形成される。貼り合わせネット部は、アクリル系粘着剤層の中央部に固着されている。
【００１５】
この絆創膏には、セパレータ１７ａ、１７ｂが離脱自在に貼付けされており、その使用前においてはアクリル系粘着剤層１４が露出されないようになっている。また、この絆創膏は、上側圧着紙１１と下側圧着紙１８との間に配置される。そして、上側圧着紙１１と下側圧着紙１８とを圧着することで絆創膏が封入される。使用時は、上側圧着紙１１と下側圧着紙１８とを分離することで、絆創膏を取り出すことができる。
また、原反の表面とセパレータ１７ａ、１７ｂとは剥離自在の圧着紙で覆われている。本実施形態では、絆創膏における貼り合わせネット部以外の部位は、なぞり書きが可能となるまでの透明度の材質としており、取り出された絆創膏を任意の絵や文字の上に配置して絵や文字を絆創膏になぞり書き可能となっている。
なお、上側圧着紙１１及び下側圧着紙１８のうち少なくとも原反の表面を覆う部分は透明フィルムで構成されていることが好ましい。
【００１６】
また、下側圧着紙１８を透明フィルムとした場合には、透明の固定台紙として使用でき、絆創膏を下側圧着紙１８に載せた状態でも絆創膏へのなぞり書きを行うことができる。下側圧着紙１８は、その内側に糊が塗工されていることから、絆創膏が揺れ動かないように固定できる。また、下側圧着紙をマスキングテープやセロファンテープで固定すると、絆創膏のなぞり書きが更に容易になる。この場合、絆創膏にはマスキングテープやセロファンテープを貼る必要はないので、これらマスキングテープがあっても絆創膏へのなぞり書きが阻害されることはない。
セパレータ１７ａは、ポリエチレンネット１６及びアクリル系粘着剤層１４を被覆し、ユーザの手で容易に分離可能となるようにポリエチレンネット１６に貼付けられている。同様に、セパレータ１７ｂは、セパレータ１７ａの先端部とアクリル系粘着剤層１４とを被覆してかつユーザの手で容易に分離可能となるようにポリエチレンネット１６に貼付けられている。以下、セパレータ１７ａ、１７ｂを区別する必要がない場合は、セパレータ１７ａ、１７ｂを単にセパレータ１７と記載する。
【００１７】
本実施形態では、粘着面の背面となる原反の表面に形成されたニス層１２、ポリウレタンテープ１３及びアクリル系粘着剤層１４は、絆創膏になぞり書きができるように透明な材料で形成している。そのため、例えば文字、イラスト又はデザインが描画された原稿上に絆創膏を配置して、絆創膏表面に文字等をなぞり書きすることができる。また、ニス層１２は、筆記具が使用可能な表面粗度の透明コーティング層として形成される。
貼り合わせネット部を構成するレーヨン不織布１５及びポリエチレンネット１６については、不透明な材料で形成してもよい。この場合、原反における貼り合わせネット部以外の領域になぞり書きを行う。しかし、貼り合わせネット部も透明材料で形成し、絆創膏全体がなぞり書きに適したものとしてもよい。好ましくは、貼り合わせネット部は、なぞり書きがしやすくなるように薄く形成する。また、好ましくは、貼り合わせネット部は、創傷の保護や治癒の促進を阻害しない素材で形成する。
【００１８】
ユーザが絵や文字を絆創膏になぞり書きした後、創傷の保護などのために絆創膏を使用する場合、ユーザは、セパレータ１７ｂを剥がし、創傷部にポリエチレンネット１６が接触させながら露出したアクリル系粘着剤層１４を皮膚に密着させる。その後、セパレータ１７ａを剥がし、露出したアクリル系粘着剤層１４を皮膚に密着させることで、絆創膏を貼ることができる。
【００１９】
次に、上記の絆創膏の構成をより詳細に説明する。図２（ａ）〜（ｄ）に、下側圧着紙１８の外側面の一例を示す。本実施形態には、下側圧着紙１８の内側面に、絆創膏表面になぞり書きができることをユーザに説明するための図を形成するものとする。
図２（ａ）は、二枚綴りの状態での下側圧着紙１８の一例を示している。下側圧着紙１８には筆記具を持った手と書きかけの花とがプリントされている。従って、ユーザは、絆創膏に花などの絵を書くことができることを視覚的に理解することでき、また、上側圧着紙１１を剥がして絆創膏を取り出すと、絆創膏の原反が透明であることから、なぞり書きができることを容易に理解できる。
【００２０】
図２（ｂ）は、二枚綴りの状態での下側圧着紙１８の一例を示す。この例では、図２（ａ）の花に加えて、絆創膏のイメージもプリントされており、プリントされた手は絆創膏からはみ出ているものの、花は絆創膏の内部領域にプリントされている。従って、ユーザは、花などの絵を絆創膏自体に書くことができることを一層容易に理解し得る。
【００２１】
図２（ｃ）は、二枚綴りの状態での下側圧着紙１８の他の例を示している。下側圧着紙１８には筆記具を持った手と書きかけの文字である「おえ」がプリントされている。このプリントは、「おえかき」を書いている途中を表しており、説明書、パッケージ、あるいは製品名に「おえかき」と記載することで、ユーザは、図２（ｃ）は「おえかき」の文字を書いている途中であることを示す。
従って、ユーザは、絆創膏に文字などを書くことができることを視覚的に理解することでき、かつ、上側圧着紙１１を剥がして絆創膏を取り出すと、絆創膏の原反が透明であることから、なぞり書きができることを容易に理解できる。また、下側圧着紙１８には、方眼紙のように縦横に格子線がプリントされている。ユーザは、この格子線を参照して、文字の大きさを整えることが可能である。
【００２２】
図２（ｄ）は、二枚綴りの状態での下側圧着紙１８の他の一例を示す。この例では、図２（ｃ）の「おえ」に加えて絆創膏のイメージもプリントされている。従って、ユーザは、文字などを絆創膏自体に書くことができることを一層容易に理解し得る。
【００２３】
図３（ａ）は、二枚綴りの状態での下側圧着紙１８の他の一例を示している。二枚綴りの下側圧着紙１８のうち上方側には、筆記具を持った手と書きかけの格子線で囲まれた四角形を数字の「０」の形状に塗りつぶしている状態がプリントされている。従って、ユーザは、絆創膏に数字など書くことができることを視覚的に理解することできる。なお、説明書などにより、絆創膏に文字や絵などをなぞり書きすることもできるので、このような手、花、文字等は必ずしも必要ではない。この例では、二枚綴りの下側圧着紙１８のうち下方側には、筆記具を持った手と書きかけの「０」はプリントされておらず、格子線のみがプリントされている。しかし、二枚綴りの下側圧着紙１８のうち下方側にも、上方側と同様に筆記具を持った手と書きかけの「０」をプリントしてもよい。
【００２４】
図３（ｂ）は、図３（ａ）に示した二枚綴りの状態での下側圧着紙１８に、更に絆創膏のイメージをプリントした例が示される。この場合、絆創膏のイメージがプリントされていることにより、ユーザは、絆創膏に絵や文字などをなぞり書きできることを一層容易に理解し得る。
【００２５】
図３（ｃ）は、二枚綴りの状態での下側圧着紙１８の他の一例を示す。この例では、ドットパターンがプリントされており、プリントされた手の近くにあるドットは色が濃くなっている。従って、ユーザは、筆記具等によりドットに色を付けることができると理解することができる。この例では、二枚綴りの下側圧着紙１８の上方側、下方側ともに、筆記具を持った手がプリントされている。
【００２６】
図３（ｄ）は、二枚綴りの状態での下側圧着紙１８の他の一例を示す。この例では、図３（ｃ）のドットに加えて、絆創膏のイメージもプリントされており、プリントされた手の近くにあるドットは色が濃くなっている。また、この例でも、二枚綴りの下側圧着紙１８の上方側、下方側ともに、筆記具を持った手がプリントされている。従って、ユーザは、筆記具等によりドットに色を付けることができることを一層容易に理解し得る。
【００２７】
上記説明は、下側圧着紙１８についてのものであるが、上側圧着紙１１の外側面も下側圧着紙１８と同様に、筆記具を持った手などをプリントしてもよい。なお、下側圧着紙１８の表面に上述のようになぞり書きを説明する図がプリントされていることから、上側圧着紙１１には必ずしもなぞり書きを説明する図をプリントする必要はなく、単に無地とするか、あるいはなぞり書きの説明とは無関係に任意の図を形成してもよい。
【００２８】
図４（ａ）に、絆創膏を上側圧着紙１１と下側圧着紙１８との間に封入した状態での平面図を示す。図４（ｂ）に、上側圧着紙１１と下側圧着紙１８とがない状態での絆創膏の平面図を示す。これらの図に示されるように、本実施形態では、上側圧着紙１１の長辺は８５±２[mm] 、短辺は３３±１[mm]、下側圧着紙１８の長辺は８７±２[mm]、短辺は３３±１[mm]、絆創膏の長辺は７２±１[mm]、短辺は２５±１[mm]、貼り合わせネット部の長辺は２４±１[mm]、短辺は１３±１[mm]である。
【００２９】
これらの厚みや長さの数値は一例であり、筆記具による書き込みが可能である厚みや長さであれば任意の数値とすることができる。また、絆創膏を絵や写真などの上においてなぞり書きを行う場合、絆創膏は、絵や写真などが見えるように透明である必要がある。また、絆創膏が厚すぎるとなぞり書きがしにくくなるので、絆創膏は薄い方が好ましい。更に、絆創膏中央には貼り合わせネット部が設けられているので、その厚みにより絆創膏の中央は他の部分に比較して厚みが大きくなる。なぞり書きがしにくくならないように、貼り合わせネット部の厚みはある程度小さくすることが好ましい。
【００３０】
本実施形態では、絆創膏において貼り合わせネット部が形成されていない部分（原反とセパレータとを合わせた部分）の厚みは、約０．１３[mm]である。また、貼り合わせネット部の厚みは約０．３１[mm]である。
本実施形態では、このような厚みとすることで、セパレータ１７ａ、１７ｂが貼付けられた状態で絆創膏が十分薄く、かつ貼り合わせネット部も薄くなる。従って、絆創膏を絵などの上において容易になぞり書きを行うことができた。
【００３１】
次に、本実施形態における絆創膏の原反について詳しく説明する。従来の絆創膏は、創傷の保護や治療のための柔軟性及び透水性は高いものの、絆創膏の表面、詳細には原反の表面は、筆記具による書き込みには適していない。また、インクを用いた筆記具により原反に書き込みを行うと、インクが滲んでしまい、経時変化により書き込みが不鮮明になってしまう。一方、本実施形態では、原反の表面にインク浸透抑制層を形成することで、原反に書き込まれた文字や絵のインクが拡散することを防ぎ、滲みを抑制している。
【００３２】
図１に示した絆創膏では、原反のニス層１２がインク浸透抑制層に相当し、絆創膏になぞり書きされた文字などのインクが浸透して広がって滲みが発生することを抑制する。ポリウレタンテープ１３上に表面加工により形成されるニス層１２としては、筆記具による書き込みが可能で、書き込まれた文字や図形などの滲みが抑制されるものであれば任意のものを用いることができる。
【００３３】
筆記具としては、好ましくはカラー筆記具、ボールペンなどが挙げられ、より好ましくはインクを用いたカラー筆記具を用いるが、その他の筆記具を用いてもよい。
本実施形態ではニス層１２として以下に示される組成ものを用いて硬化させた。ニス剤の組成は以下のとおりである。
［表１］
【００３４】
モノマー  ３０〜４０ｗｔ％
合成樹脂類２５〜３５ｗｔ％
顔料１５〜２５ｗｔ％
助剤１０〜２０ｗｔ％、
固形パラフィン１〜５ｗｔ％
【００３５】
このニス剤は、ＵＶエースマットOPニス(久保井インキ株式会社製)として入手可能である。この組成により、原反の表面に筆記具による書き込みができ、かつ滲みを抑えることができる。なお、天然樹脂系のニス、例えば旧ＪＩＳＫ５４３１のセラックニスも、筆記具による書き込みができ、かつ滲みを抑えるためのニス剤として好適である。
以下、表１に示したニス剤を用いた本実施形態の絆創膏を説明する。原反のニス層１２の厚みは２±０．２[μm]、ポリウレタンテープ１３の厚みは８０±１０[μm]、アクリル系粘着剤層１４は、３５ｇ／ｍ２のものを用いた。
その結果、絆創膏の貼り合わせネット部が形成されていない部分厚みは０．１３[mm]程度となった。また、原反部に貼り合わせネット部が形成された部分における最大の厚みは０．４４[mm] であった。
貼り合わせネットのレーヨン不織布１５の厚みは０．３１[mm]、原反の厚みは０．０８[mm]、セパレータ１７ａ、１７ｂの厚みは０．０５[mm]、ニス層１２の厚みは０．００２[mm]であった。
【００３６】
なお、セラックニスを用いる場合、原料であるセラックは安全性の高い天然樹脂として食品、果実、医薬品のコーティングとして使用されており、また、多くの溶剤に対して溶解しにくいという特性を有するので、滲みを防止する効果も高い。
【００３７】
次に、本実施形態の絆創膏の効果を検証するために、比較例の絆創膏に線分を描いてその経時変化を調べた。
市販の絆創膏は、表面が柔らかく筆記具先端との摩擦が大きい。従って、なぞり書きをするときに筆圧を高くすると筆記具先端の移動につれて絆創膏の表面が筆記具の先端に引きずられ、移動方向に伸びて歪みが生じて書き込みがしにくい。更に、市販の絆創膏はセパレータが不透明であるのでなぞり書きを行うことができない。
そのため、図１の構成において、ニス層１２を形成していない絆創膏を比較例の絆創膏とし、この比較例の絆創膏に筆記具で線を書いてその経時変化を調べた。また、以下の例では、経時変化を観察しやすくするために、ジグソーパズルのような線分を書いている。比較例の絆創膏は、ニス層１２が形成されていないので絆創膏の表面が柔らかく筆記具先端との摩擦も大きいが、原反及びセパレータが透明であるのでなぞり書きが可能である。
なお、筆記具としては油性ボールペンを用いた。
【００３８】
図５（ａ）は、比較例の絆創膏に線をなぞり書きした直後の絆創膏表面を示す。図示されるように、書き込み直後においては、絆創膏に書かれた線分に滲みは生じていなかった。
図５（ｂ）は、比較例の絆創膏に線を書いてから１年経過後の絆創膏表面を示す。図示されるように、１年経過後には、絆創膏の表面に書かれた線に滲みが生じ、全体的に輪郭がぼやけている。特に、ボールペンのインクが滲むことにより線分が全体的に薄くかつ太くなっていることがわかる。
【００３９】
一方、本実施形態に係る絆創膏では、線をなぞり書きした直後及び２ヵ月経過後のいずれにおいても書かれた線に滲みは生じていなかった。より詳細な比較を行うために、本実施形態に係る絆創膏に線をなぞり書きして２ヵ月経過した後の絆創膏表面の顕微鏡写真と、同じ条件で比較例において線をなぞり書きして２ヵ月経過した後の絆創膏表面の顕微鏡写真とを図５（ｃ）、（ｄ）に示す。
なお、ボールペンは油性のものを用いたが、油性のマジック等を用いても、滲みが発生することはなかった。
【００４０】
図５（ｃ）に示されるように、本実施形態に係る絆創膏ではインクの滲みは発生しておらず、２ヵ月後でも線の輪郭が明瞭であることが示される。また、ニス層１２が形成されていることによって絆創膏表面が平滑化されており、筆記具による書き込みがしやすくなっている。また、ニス層１２はインク浸透抑制層としても作用し、インクの滲みが抑えられていることが確認できる。特に、図５（ｃ）の左下の角は、線をなぞり書きする際の始点かつ終点となっており、インクが濃い領域が生じているが、このインクが濃い領域の輪郭にも滲みは見られなかった。
【００４１】
一方、図５（ｄ）に示されるように、比較例の絆創膏ではインクの滲みが示され、２ヵ月後には線の輪郭がぼやけていて、写真の中央付近ではインクが薄くなっていて線が切れているようにみえることが示される。また、ニス層１２が形成されていないので、絆創膏表面と筆記具との摩擦が大きく、筆記具による書き込み時に絆創膏が歪みやすいので書き込みがしにくかった。
【００４２】
以上説明したように、本実施形態の絆創膏では、ニス層１２のインク浸透抑制効果によるインクの滲みを抑える効果が確認でき、かつ、筆記具と絆創膏表面との摩擦が小さくなり書き込みがしやすいことが確認された。更に、セパレータ及び原反が透明であることから、なぞり書きも容易である。
なお、貼り合わせネット部をも透明にした場合には、貼り合わせネット部にもなぞり書きを行うことができる。この場合、貼り合わせネット部の厚みを小さくすることで、絆創膏表面の凹凸を抑えられ、書き込みが容易となる。更に、貼り合わせネットにより患部を隠す事が出来るので見た目にも安心感が得られる。
【００４３】
このように絆創膏を透明としてイラストやキャラクタ等をなぞり書きすることで、オリジナルの絆創膏をハンドメイドできる。また、ニス層１２を形成していることで、インクの滲みが発生しにくく、また、インクの乾きも早くなることが確認された。
特に、複雑なデザインのイラストを絆創膏に書くことは難しいが、本実施形態のようになぞり書きを行うことで、複雑なデザインであっても容易に絆創膏になぞり書きを行うことができる。また、例えば複数の絆創膏にそれぞれ異なる名前を書く場合は、名前の一覧が記載されたリストがあれば、そのリストの上に絆創膏を配置して名前をなぞり書きすることで、名前を絆創膏に書き込むときの誤記を容易に防ぐことができる。特に、名前には「斎藤」、「齋藤」、「斉藤」など、同じ読みに対して複数の表記があることから誤記が生じやすいが、なぞり書きを行うことでそのような誤記を容易に防ぐことができる。
【００４４】
本実施形態で用いられた材料及びその形状などは一例に過ぎず、他の素材や形状を用いることもできる。例えば、本実施形態ではポリウレタンテープ、アクリル系粘着剤層、レーヨン不織布及びポリエチレンネットを用いているが、原反を構成するテープは、透明で書き込みができるものであればポリウレタン系に限らず任意のタイプのものを用いることができる。
同様に、粘着剤及び不織布も、なぞり書きができてかつ絆創膏としての機能を担保できる程度の透明度、柔軟性などを有する任意のタイプのものを用いることができる。セパレータ等のその他の構成要素についても同様である。
【図１】
2020025847.tif 000003
【図２】
2020025847.tif 000004
【図３】
2020025847.tif 000005
【図４】
2020025847.tif 000006
【図５】
2020025847.tif 000007